(57)【要約】【課題】面発光パネルよりも大きい大型看板の照明装置を提供する。【解決手段】面発光パネル４０が看板内に複数枚配置された大型看板の照明装置に関する。各面発光パネル４０は、長方形の平板状の導光部４１の第１辺部１１の端面４１ａに第１辺部１１に沿って配置された複数の発光ダイオード４２、並びに、複数の発光ダイオード４２を配置し、導光部４１の第１辺部１１の端面４１ａに沿って延びる光源フレーム４５を備え、互いに隣接する一方の面発光パネル４０の第２辺部１２と、他方の面発光パネル４０の光源フレーム４５とが互いに二重に重なった状態で隣接する面発光パネル４０，４０同士が互いに締結部材２０により互いに締結されていることで連ねられている。【選択図】図１
0003162660.tif 000002
【実用新案登録請求の範囲】
【請求項１】
面発光パネルが看板内に複数枚配置された大型看板の照明装置であって、
前記各面発光パネルは、
互いに平行な長い第１および第２辺部と前記第１および第２辺部よりも短い互いに平行な第３および第４辺部とを有し、前記４つの辺部で囲まれた主面から面発光する長方形の平板状の導光部、
前記導光部の前記第１辺部の端面に前記第１辺部に沿って配置された複数の発光ダイオード、並びに、
前記複数の発光ダイオードを配置し、前記導光部の前記第１辺部の端面に沿って延びる光源フレームを備え、
互いに隣接する一方の面発光パネルの前記第２辺部と、他方の面発光パネルの前記光源フレームとが互いに二重に重なった状態で前記隣接する面発光パネル同士が締結部材により互いに締結されていることで連ねられていることを特徴とする大型看板の照明装置。
【請求項２】
請求項１において、前記他方の面発光パネルの光源フレームが前記一方の面発光パネルの第２辺部に覆われて前記他方の面発光パネルの光源フレームが看板の表示面の内面に対面せず、かつ、前記一方の面発光パネルの第２辺部が前記表示面の内面に対面している大型看板の照明装置。
【請求項３】
請求項２において、前記第２辺部には前記締結部材であるボルトが貫通する貫通孔が形成され、前記光源フレームには前記ボルトがねじ込まれるメネジが形成されている大型看板の照明装置
【考案の詳細な説明】
【技術分野】
【０００１】
本考案は大型看板の照明装置に関するものである。
【背景技術】
【０００２】
近年、液晶表示装置のバックライトに用いる面発光パネル（特許文献１）を看板の照明として用いることがなされている。この照明装置は軽量薄型であるという利点を有する。
【先行技術文献】
【特許文献】
【０００３】
【特許文献１】Ｐ２００５−３３２６８１Ａ（要約）
【考案の概要】
【考案が解決しようとする課題】
【０００４】
しかし、前記パネルの光源であるＬＥＤ（発光ダイオード）の照度との関係から、前記パネルの幅は数１０ｃｍ程度が限界となり、そのため、大型看板には適用できないという問題があった。
【０００５】
一方、蛍光管による一般的な照明では、スタータが重いために大型看板の重量が３０kgf にもなる。そのため、看板の設置にラフテレーンクレーンやオールテレーンクレーンなどの専用クレーンが必要となり、したがって、設置コストが著しく高くなる。
【０００６】
したがって、本考案の目的は、面発光パネルよりも大きい大型看板の照明装置を提供することである。
【課題を解決するための手段】
【０００７】
前記目的を達成するために、本考案の大型看板の照明装置は面発光パネル４０が看板内に複数枚配置された大型看板の照明装置であって、前記各面発光パネル４０は、互いに平行な長い第１および第２辺部１１，１２と前記第１および第２辺部よりも短い互いに平行な第３および第４辺部１３，１４とを有し、前記４つの辺部１１〜１４で囲まれた主面４１ｂから面発光する長方形の平板状の導光部４１、前記導光部４１の前記第１辺部１１の端面４１ａに前記第１辺部１１に沿って配置された複数の発光ダイオード４２、並びに、前記複数の発光ダイオード４２を配置し、前記導光部４１の前記第１辺部１１の端面４１ａに沿って延びる光源フレーム４５を備え、互いに隣接する一方の面発光パネル４０の前記第２辺部１２と、他方の面発光パネル４０の前記光源フレーム４５とが互いに二重に重なった状態で前記隣接する面発光パネル４０，４０同士が互いに締結部材２０により互いに締結されていることで重ねられていることを特徴とする。
【考案の効果】
【０００８】
本考案によれば、隣接するパネルの長辺部同士を互いに連結するので、パネルの短辺部を多数個連結して延ばすことで、たとえば、縦２ｍ横４ｍなどの大型看板を内側から明るく照明することができる。
かかる大型看板においては、一般的な蛍光管による照明装置よりも遙かに軽量となる。そのため、専用クレーンが不必要になり、ブーム付の２ton 〜４ton トラック１台で現場への搬入と看板の設置が可能となる。したがって、設置コストが著しく安価になる。
また、長辺部同士を互いに二重に重ねるだけであるから、面発光パネルの構造が複雑や特別なものにならない。したがって、照明装置自体のコストも安価になる。
【図面の簡単な説明】
【０００９】
【図１】本考案の大型看板の照明装置にかかる面発光パネルの一例を示す概略斜視図である。
【図２】同パネルの短辺部に平行な面における断面図である。
【図３】同パネルの光源フレーム等を示す概略斜視図である。
【図４】大型看板の照明装置を示す断面図である。
【考案を実施するための形態】
【００１０】
本考案の好ましい実施例においては、他方の面発光パネル４０の光源フレーム４５が前記一方の面発光パネル４０の第２辺部１２に覆われて前記他方の面発光パネル４０の光源フレーム４５が看板の表示面に内面に対面せず、かつ、前記一方の面発光パネル４０の第２辺部１２が前記表示面の内面に対面している。
【００１１】
この場合、光を主面（広い面）に向かって発しない光源フレーム４５に第２辺部１２が重なって、面発光パネル４０，４０同士が連結されるので、明るさのムラが生じにくい上、面発光パネル４０の発光面にロスが生じるおそれがない。
【実施例１】
【００１２】
以下、本考案の一実施例を図面にしたがって説明する。
まず、本考案の要部の説明に先立って面発光パネル（平面発光装置）の一例について説明する。
なお、図１および図３の斜視図においては作図の都合上、ボルトの頭部が円形に図示されている。
【００１３】
図１および図２Ａに示すように、平面発光装置（面発光パネル）４０は、幅方向の端面のうち一方が光入射面４１ａとされており、一方主面が光出射面４１ｂとされており、他方主面が光反射面４１ｃとされている導光板（導光部の一例）４１と、導光板４１の光入射面４１ａに配置されている光源部４２と、導光板４１の光反射面４１ｃの背面に配置されている反射シート４３と、導光板４１の光出射面４１ｂの前面に配置されている拡散シート４４とを備える。なお、導光板４１は第１および第２辺部１１，１２が長い長方形平板状であるが、作図の都合上、図１では一部を省略して図示している。
【００１４】
導光板４１は、所定の厚みを有する透明な平板であり、主面４１ｂのサイズは照明する看板に合わせたサイズとされている。
導光板４１は、光入射面４１ａから入射された光を光出射面４１ｂと光反射面４１ｃとで全反射させながら導光し、光出射面４１ｂから出射させる。光出射面４１ｂからは、臨界角未満で光出射面４１ｂの内面に入射した光が出射される。
【００１５】
導光板４１の材料としては、アクリル樹脂、メタクリル樹脂、スチレン樹脂、ポリカーボネート樹脂などの透明の熱可塑性樹脂が用いられる。導光板４１は、たとえば、アクリル樹脂を射出成形することによって形成される。
【００１６】
導光板４１の光反射面４１ｃには、細かい凹凸形状、たとえば、プリズムパターンやドットパターンなどが形成されており、導光板４１内に導光された光を効率良く光出射面４１ｂに向かわせる。この光反射面４１ｃに形成されたプリズムパターンやドットパターンによって光出射面４１ｂ方向に偏向された光が、光出射面４１ｂから均一な光として出射されることで、導光板４１は面発光する。
【００１７】
前記光源部４２はＬＥＤ（発光ダイオード）を多数有し概ね水平方向に光を出射する。
【００１８】
各光源部４２から出射された光は、それぞれ、導光板４１の光入射面４１ａから入射して、導光板４１内を光出射面４１ｂ又は光反射面４１ｃによって全反射されながら導光され、光反射面４１ｃに形成されたプリズムパターンやドットパターンによって偏向されて光出射面４１ｂから前方に向かって出射される。
【００１９】
反射シート４３は、導光板４１を全反射しながら導光される光のうち、光反射面４１ｃから導光板４１の外側に飛び出した光を反射して、再び導光板４１内に戻す働きをしている。
拡散シート４４は、導光板４１の光出射面４１ｂから出射された光を均一に拡散し、導光板４１の光出射面４１ｂから出射された光の面内強度を均一にする。前記拡散シート４４の上に更に１以上のレンズシートを設けてもよい。
【００２０】
なお、光源部４２を構成するＬＥＤは、図示しない駆動回路により所定の照度で、かつ、時間帯において通電されて発光駆動される。
【００２１】
図１に示すように、導光部４１は互いに平行な長い第１および第２辺部１１，１２と前記第１および第２辺部よりも短い互いに平行な第３および第４辺部１３，１４とを有し、前記４つの辺部１１〜１４で囲まれた主面４１ｂから面発光する。
【００２２】
図３に明示するように、前記複数の発光ダイオード４２は、前記導光部４１の前記第１辺部１１の端面４１ａに沿って延び配線基板（図示せず）を介して光源フレーム４５上に配置されている。
なお、光源フレーム４５は組立ボルト４６によって導光部４１の前記端面４１ａに組み付けられている。
【００２３】
図１の前記第２辺部１２には前記締結部材であるボルト２０が貫通する貫通孔２１が形成されている。一方、前記光源フレーム４５には前記締結ボルト２０がねじ込まれるメネジ２２が形成されている。前記締結部材２０により、互いに隣接するパネル４０，４０同士の第２辺部１２と光源フレーム４５とが互いに締結されている。
【００２４】
図４Ａ〜図４Ｃに示すように、互いに隣接する一方の面発光パネル４０の前記第２辺部１２と、他方の面発光パネル４０の前記光源フレーム４５とが互いに二重に重なった状態で前記隣接する面発光パネル４０，４０同士が締結部材２０により互いに締結されていることで連ねられている。
【００２５】
前記他方の面発光パネル４０の光源フレーム４５は前記一方の面発光パネル４０の第２辺部１２に覆われて前記他方の面発光パネル４０の光源フレーム４５が看板１の表示面２の内面３に対面していない。また、前記一方の面発光パネル４０の第２辺部１２が前記表示面２の内面３に対面している。
【００２６】
なお、図４Ａおよび図４Ｃに示すように、パネル４０のうちのｎ枚ごとに、パネル４０が看板１の枠体の桟４に固定ボルト５を介して固定されている。
【産業上の利用可能性】
【００２７】
本考案は看板の照明装置として利用できる。
【符号の説明】
【００２８】
１１〜１４：第１〜第４辺部
２０：締結部材
２１：貫通孔
２２：メネジ
４０：面発光パネル
４１：導光部
４１ａ：端面
４２：発光ダイオード（光源部）
４５：光源フレーム
【図１】
0003162660.tif 000003
【図２】
0003162660.tif 000004
【図３】
0003162660.tif 000005
【図４】
0003162660.tif 000006